(57)【要約】【課題】  ユーザが楽曲を試聴する際の利便性を向上させるとともに、各販売店舗を訪れるユーザのＣＤアルバムや楽曲に対する嗜好を収集できるようにする。【解決手段】  情報配信管理サーバ２００は、携帯端末１００から、楽曲が収録されたＣＤアルバムの識別番号及び携帯端末の位置情報を受信した場合（ステップＳ１００７）、この記録媒体に関する情報をデータベース管理サーバ３００から取得して（ステップＳ１０１１）、携帯端末に提供するとともに（ステップＳ１０１５）、情報提供を行ったＣＤ識別番号及び携帯端末の位置情報を格納する（ステップＳ１０１７）。また、携帯端末から楽曲の試聴要求及び携帯端末の位置情報を受信した場合（ステップＳ１０２１）、データベース管理サーバに対して、携帯端末への試聴データ配信要求を行うとともに（ステップＳ１０２３）、試聴楽曲の識別番号及び携帯端末の位置情報を格納する（ステップＳ１０２５）。【選択図】  図３
2006318312.tif 000002
【特許請求の範囲】
【請求項１】
ネットワークを介して、楽曲が収録された記録媒体に関する情報及び前記楽曲に関する情報が格納されたデータベースを有するデータベース管理サーバ並びに携帯端末と通信を行う情報配信管理サーバであって、
前記携帯端末から、楽曲が収録された記録媒体の識別情報、及び前記携帯端末の位置情報を受信する第１情報受信手段と、
前記データベース管理サーバに対して、前記第１情報受信手段で受信した前記記録媒体の前記識別情報を用いた問い合わせを行う問い合わせ手段と、
前記問い合わせ手段による前記問い合わせの結果として、前記データベース管理サーバから、前記識別情報によって識別される前記記録媒体に収録されている楽曲の楽曲名を少なくとも含む楽曲一覧情報、及び前記識別情報によって識別される前記記録媒体のジャケット画像データを受信する問い合わせ結果受信手段と、
前記問い合わせ結果受信手段で受信した前記楽曲一覧情報及び前記ジャケット画像データに基づいて、前記識別情報によって識別される前記記録媒体に収録されている前記楽曲の楽曲名及び前記ジャケット画像データを前記携帯端末に表示させるための商品情報閲覧用ページを生成する商品情報閲覧用ページ生成手段と、
前記携帯端末に対して、前記商品情報閲覧用ページ生成手段で生成された前記商品情報閲覧用ページを送信する商品情報閲覧用ページ送信手段と、
履歴情報として、少なくとも前記第１情報受信手段で受信した前記記録媒体の前記識別情報及び前記携帯端末の前記位置情報と、現在の日時とを格納する第１履歴情報格納手段と、
前記携帯端末から、前記商品情報閲覧用ページ内に含まれる前記楽曲の識別情報、及び前記携帯端末の位置情報を受信する第２情報受信手段と、
前記データベース管理サーバに対して、前記第２情報受信手段で受信した前記楽曲の識別情報、及び前記携帯端末の前記ネットワーク上の識別情報を送信し、前記携帯端末に対して前記楽曲の試聴データの配信を行うように要求する配信要求手段と、
履歴情報として、少なくとも前記第２情報受信手段で受信した前記楽曲の識別情報及び前記携帯端末の前記位置情報と、現在の日時とを格納する第２履歴情報格納手段とを、
有する情報配信管理サーバ。
【請求項２】
ネットワークを介して、楽曲が収録された記録媒体に関する情報及び前記楽曲に関する情報が格納されたデータベースを有するデータベース管理サーバ並びに携帯端末と通信を行う情報配信管理サーバであって、
前記携帯端末から、楽曲が収録された記録媒体の識別情報、及び前記携帯端末の位置情報を受信する第１情報受信手段と、
前記データベース管理サーバに対して、前記第１情報受信手段で受信した前記記録媒体の前記識別情報を用いた問い合わせを行う問い合わせ手段と、
前記問い合わせ手段による前記問い合わせの結果として、前記データベース管理サーバから、前記識別情報によって識別される前記記録媒体に収録されている楽曲の楽曲名を少なくとも含む楽曲一覧情報、及び前記識別情報によって識別される前記記録媒体のジャケット画像データを受信する問い合わせ結果受信手段と、
前記問い合わせ結果受信手段で受信した前記楽曲一覧情報及び前記ジャケット画像データに基づいて、前記識別情報によって識別される前記記録媒体に収録されている前記楽曲の楽曲名及び前記ジャケット画像データを前記携帯端末に表示させるための商品情報閲覧用ページを生成する商品情報閲覧用ページ生成手段と、
前記携帯端末に対して、前記商品情報閲覧用ページ生成手段で生成された前記商品情報閲覧用ページを送信する商品情報閲覧用ページ送信手段と、
履歴情報として、少なくとも前記第１情報受信手段で受信した前記記録媒体の前記識別情報及び前記携帯端末の前記位置情報と、現在の日時とを格納する第１履歴情報格納手段と、
前記携帯端末から、前記商品情報閲覧用ページ内に含まれる前記楽曲の識別情報、及び前記携帯端末の位置情報を受信する第２情報受信手段と、
前記携帯端末に対して、前記携帯端末が前記データベース管理サーバから前記楽曲の試聴データをダウンロードするための情報を送信する試聴データ情報送信手段と、
履歴情報として、少なくとも前記第２情報受信手段で受信した前記楽曲の識別情報及び前記携帯端末の前記位置情報と、現在の日時とを格納する第２履歴情報格納手段とを、
有する情報配信管理サーバ。
【請求項３】
ネットワークを介して、楽曲が収録された記録媒体に関する情報及び前記楽曲に関する情報が格納されたデータベースを有するデータベース管理サーバ並びに携帯端末と通信を行う情報配信管理サーバであって、
前記携帯端末から、楽曲が収録された記録媒体の識別情報、及び前記携帯端末の位置情報を受信する第１情報受信手段と、
前記データベース管理サーバに対して、前記第１情報受信手段で受信した前記記録媒体の前記識別情報を用いた問い合わせを行う問い合わせ手段と、
前記問い合わせ手段による前記問い合わせの結果として、前記データベース管理サーバから、前記識別情報によって識別される前記記録媒体に収録されている楽曲の楽曲名を少なくとも含む楽曲一覧情報、及び前記識別情報によって識別される前記記録媒体のジャケット画像データを受信する問い合わせ結果受信手段と、
前記問い合わせ結果受信手段で受信した前記楽曲一覧情報及び前記ジャケット画像データに基づいて、前記識別情報によって識別される前記記録媒体に収録されている前記楽曲の楽曲名及び前記ジャケット画像データを前記携帯端末に表示させるための商品情報閲覧用ページを生成する商品情報閲覧用ページ生成手段と、
前記携帯端末に対して、前記商品情報閲覧用ページ生成手段で生成された前記商品情報閲覧用ページを送信する商品情報閲覧用ページ送信手段と、
履歴情報として、少なくとも前記第１情報受信手段で受信した前記記録媒体の前記識別情報及び前記携帯端末の前記位置情報と、現在の日時とを格納する第１履歴情報格納手段と、
前記携帯端末から、前記商品情報閲覧用ページ内に含まれる前記楽曲の識別情報、及び前記携帯端末の位置情報を受信する第２情報受信手段と、
前記データベース管理サーバに対して、前記第２情報受信手段で受信した前記楽曲の識別情報を送信し、前記楽曲の試聴データの配信を行うように要求する配信要求手段と、
前記データベース管理サーバから配信される前記楽曲の試聴データを、前記携帯端末に転送する試聴データ転送手段と、
履歴情報として、少なくとも前記第２情報受信手段で受信した前記楽曲の識別情報及び前記携帯端末の前記位置情報と、現在の日時とを格納する第２履歴情報格納手段とを、
有する情報配信管理サーバ。
【請求項４】
前記記録媒体を販売している店舗と前記店舗の場所を包含するエリアとの対応関係を示す店舗情報を格納する店舗エリア格納手段を有する請求項１から３のいずれか１つに記載の情報配信管理サーバ。
【請求項５】
前記店舗エリア格納手段に格納されている前記店舗情報を参照して、前記第１履歴情報格納手段及び前記第２履歴情報格納手段の少なくとも一方に格納されている前記携帯端末の前記位置情報から、前記携帯端末が位置していた店舗を特定する店舗特定手段を有する請求項４に記載の情報配信管理サーバ。
【請求項６】
前記携帯端末から受信する前記記録媒体の前記識別情報が、前記携帯端末のバーコード読み取り機能によって読み取られた、前記記録媒体に添付されたバーコード情報である請求項１から５のいずれか１つに記載の情報配信管理サーバ。
【請求項７】
前記第１履歴情報格納手段及び前記第２履歴情報格納手段に格納されている前記履歴情報を販売促進用データとして、前記ネットワークを介して接続されている所定のサーバに送信する履歴情報送信手段を有する請求項１から６のいずれか１つに記載の情報配信管理サーバ。
【発明の詳細な説明】
【技術分野】
【０００１】
本発明は、パッケージ商品として販売されているＣＤ（Compact Disc：コンパクトディスク）アルバムなどの記録媒体に収録されている楽曲の試聴データの配信管理を行う情報配信管理サーバに関する。
【背景技術】
【０００２】
従来、ＣＤ販売店舗などには、店舗を訪れるユーザがＣＤアルバムの楽曲の試聴を行えるようにする端末（試聴端末）が設置されている。このような試聴サービスは、ユーザがＣＤアルバムの内容を確認して購入できるようにするという目的に加え、試聴の履歴を記録することによって、ユーザがどのＣＤアルバムのどの楽曲に興味を持っているかを把握するという目的を有している。
【０００３】
なお、パッケージ商品としては、ＣＤを記録媒体とするもののほかに、ＤＶＤ（Digital Versatile Disc）を記録媒体とするものも存在しているが、本明細書では、記録媒体の種類を問わず、これらのＣＤ及びＤＶＤなどの記録媒体を含むパッケージ商品をＣＤアルバムと呼ぶことにする。
【０００４】
一方、例えば下記の特許文献１には、ユーザがＣＤアルバムや楽曲の情報を取得したり楽曲の試聴を行ったりすることをできるようにする技術が開示されている。この特許文献１に開示されている技術によれば、情報通信端末から、ＣＤアルバムのバーコード表示の数値などを入力し、ネットワークを介して情報処理システムに送信することで、このＣＤアルバムに関する情報や、ＣＤアルバムに収録されている楽曲に関する情報、試聴データを受け取ることが可能となる。
【特許文献１】特開２００２−２２２１３１号公報（図１〜３）
【発明の開示】
【発明が解決しようとする課題】
【０００５】
しかしながら、ＣＤアルバムの販売店舗に試聴端末を設置した場合には、その設置及び管理のコストが高くなるという課題がある。
【０００６】
一方、特許文献１に開示されている技術によれば、楽曲の試聴を行う情報通信端末として、携帯電話を始めとする各種の情報端末を用いることにより、販売店舗に試聴端末を設置する必要はなくなる。しかしながら、この場合にはユーザの利便性は向上されるものの、例えば、各販売店舗におけるユーザの嗜好（どの販売店舗を訪れるユーザがどの楽曲に興味を持っているか）などのような、販売店舗に設置されていた試聴端末では容易に収集可能であった情報の収集が困難となる。
【０００７】
上記の課題を解決するため、本発明は、ユーザが楽曲の情報を取得したり、楽曲を試聴したりする際の利便性を向上させるとともに、各販売店舗を訪れるユーザのＣＤアルバムや楽曲に対する嗜好（各販売店舗における販売促進に活用することが可能な詳細なユーザの嗜好）を収集することが可能な情報配信管理サーバを提供することを目的とする。
【課題を解決するための手段】
【０００８】
上記目的を達成するため、本発明によれば、ネットワークを介して、楽曲が収録された記録媒体に関する情報及び前記楽曲に関する情報が格納されたデータベースを有するデータベース管理サーバ並びに携帯端末と通信を行う情報配信管理サーバであって、
前記携帯端末から、楽曲が収録された記録媒体の識別情報、及び前記携帯端末の位置情報を受信する第１情報受信手段と、
前記データベース管理サーバに対して、前記第１情報受信手段で受信した前記記録媒体の前記識別情報を用いた問い合わせを行う問い合わせ手段と、
前記問い合わせ手段による前記問い合わせの結果として、前記データベース管理サーバから、前記識別情報によって識別される前記記録媒体に収録されている楽曲の楽曲名を少なくとも含む楽曲一覧情報、及び前記識別情報によって識別される前記記録媒体のジャケット画像データを受信する問い合わせ結果受信手段と、
前記問い合わせ結果受信手段で受信した前記楽曲一覧情報及び前記ジャケット画像データに基づいて、前記識別情報によって識別される前記記録媒体に収録されている前記楽曲の楽曲名及び前記ジャケット画像データを前記携帯端末に表示させるための商品情報閲覧用ページを生成する商品情報閲覧用ページ生成手段と、
前記携帯端末に対して、前記商品情報閲覧用ページ生成手段で生成された前記商品情報閲覧用ページを送信する商品情報閲覧用ページ送信手段と、
履歴情報として、少なくとも前記第１情報受信手段で受信した前記記録媒体の前記識別情報及び前記携帯端末の前記位置情報と、現在の日時とを格納する第１履歴情報格納手段と、
前記携帯端末から、前記商品情報閲覧用ページ内に含まれる前記楽曲の識別情報、及び前記携帯端末の位置情報を受信する第２情報受信手段と、
前記データベース管理サーバに対して、前記第２情報受信手段で受信した前記楽曲の識別情報、及び前記携帯端末の前記ネットワーク上の識別情報を送信し、前記携帯端末に対して前記楽曲の試聴データの配信を行うように要求する配信要求手段と、
履歴情報として、少なくとも前記第２情報受信手段で受信した前記楽曲の識別情報及び前記携帯端末の前記位置情報と、現在の日時とを格納する第２履歴情報格納手段とを、
有する情報配信管理サーバが提供される。
【０００９】
また、上記目的を達成するため、本発明によれば、ネットワークを介して、楽曲が収録された記録媒体に関する情報及び前記楽曲に関する情報が格納されたデータベースを有するデータベース管理サーバ並びに携帯端末と通信を行う情報配信管理サーバであって、
前記携帯端末から、楽曲が収録された記録媒体の識別情報、及び前記携帯端末の位置情報を受信する第１情報受信手段と、
前記データベース管理サーバに対して、前記第１情報受信手段で受信した前記記録媒体の前記識別情報を用いた問い合わせを行う問い合わせ手段と、
前記問い合わせ手段による前記問い合わせの結果として、前記データベース管理サーバから、前記識別情報によって識別される前記記録媒体に収録されている楽曲の楽曲名を少なくとも含む楽曲一覧情報、及び前記識別情報によって識別される前記記録媒体のジャケット画像データを受信する問い合わせ結果受信手段と、
前記問い合わせ結果受信手段で受信した前記楽曲一覧情報及び前記ジャケット画像データに基づいて、前記識別情報によって識別される前記記録媒体に収録されている前記楽曲の楽曲名及び前記ジャケット画像データを前記携帯端末に表示させるための商品情報閲覧用ページを生成する商品情報閲覧用ページ生成手段と、
前記携帯端末に対して、前記商品情報閲覧用ページ生成手段で生成された前記商品情報閲覧用ページを送信する商品情報閲覧用ページ送信手段と、
履歴情報として、少なくとも前記第１情報受信手段で受信した前記記録媒体の前記識別情報及び前記携帯端末の前記位置情報と、現在の日時とを格納する第１履歴情報格納手段と、
前記携帯端末から、前記商品情報閲覧用ページ内に含まれる前記楽曲の識別情報、及び前記携帯端末の位置情報を受信する第２情報受信手段と、
前記携帯端末に対して、前記携帯端末が前記データベース管理サーバから前記楽曲の試聴データをダウンロードするための情報を送信する試聴データ情報送信手段と、
履歴情報として、少なくとも前記第２情報受信手段で受信した前記楽曲の識別情報及び前記携帯端末の前記位置情報と、現在の日時とを格納する第２履歴情報格納手段とを、
有する情報配信管理サーバが提供される。
【００１０】
また、上記目的を達成するため、本発明によれば、ネットワークを介して、楽曲が収録された記録媒体に関する情報及び前記楽曲に関する情報が格納されたデータベースを有するデータベース管理サーバ並びに携帯端末と通信を行う情報配信管理サーバであって、
前記携帯端末から、楽曲が収録された記録媒体の識別情報、及び前記携帯端末の位置情報を受信する第１情報受信手段と、
前記データベース管理サーバに対して、前記第１情報受信手段で受信した前記記録媒体の前記識別情報を用いた問い合わせを行う問い合わせ手段と、
前記問い合わせ手段による前記問い合わせの結果として、前記データベース管理サーバから、前記識別情報によって識別される前記記録媒体に収録されている楽曲の楽曲名を少なくとも含む楽曲一覧情報、及び前記識別情報によって識別される前記記録媒体のジャケット画像データを受信する問い合わせ結果受信手段と、
前記問い合わせ結果受信手段で受信した前記楽曲一覧情報及び前記ジャケット画像データに基づいて、前記識別情報によって識別される前記記録媒体に収録されている前記楽曲の楽曲名及び前記ジャケット画像データを前記携帯端末に表示させるための商品情報閲覧用ページを生成する商品情報閲覧用ページ生成手段と、
前記携帯端末に対して、前記商品情報閲覧用ページ生成手段で生成された前記商品情報閲覧用ページを送信する商品情報閲覧用ページ送信手段と、
履歴情報として、少なくとも前記第１情報受信手段で受信した前記記録媒体の前記識別情報及び前記携帯端末の前記位置情報と、現在の日時とを格納する第１履歴情報格納手段と、
前記携帯端末から、前記商品情報閲覧用ページ内に含まれる前記楽曲の識別情報、及び前記携帯端末の位置情報を受信する第２情報受信手段と、
前記データベース管理サーバに対して、前記第２情報受信手段で受信した前記楽曲の識別情報を送信し、前記楽曲の試聴データの配信を行うように要求する配信要求手段と、
前記データベース管理サーバから配信される前記楽曲の試聴データを、前記携帯端末に転送する試聴データ転送手段と、
履歴情報として、少なくとも前記第２情報受信手段で受信した前記楽曲の識別情報及び前記携帯端末の前記位置情報と、現在の日時とを格納する第２履歴情報格納手段とを、
有する情報配信管理サーバが提供される。
【００１１】
さらに、本発明では、上記発明に加えて、前記記録媒体を販売している店舗と前記店舗の場所を包含するエリアとの対応関係を示す店舗情報を格納する店舗エリア格納手段を有する情報配信管理サーバが提供される。
【００１２】
さらに、本発明では、上記発明に加えて、前記店舗エリア格納手段に格納されている前記店舗情報を参照して、前記第１履歴情報格納手段及び前記第２履歴情報格納手段の少なくとも一方に格納されている前記携帯端末の前記位置情報から、前記携帯端末が位置していた店舗を特定する店舗特定手段を有する情報配信管理サーバが提供される。
【００１３】
さらに、本発明では、上記発明に加えて、前記携帯端末から受信する前記記録媒体の前記識別情報が、前記携帯端末のバーコード読み取り機能によって読み取られた、前記記録媒体に添付されたバーコード情報である情報配信管理サーバが提供される。
【００１４】
さらに、本発明では、上記発明に加えて、前記第１履歴情報格納手段及び前記第２履歴情報格納手段に格納されている前記履歴情報を販売促進用データとして、前記ネットワークを介して接続されている所定のサーバに送信する履歴情報送信手段を有する情報配信管理サーバが提供される。
【発明の効果】
【００１５】
本発明の情報配信管理サーバは、上記の構成を有しており、ユーザが楽曲の情報を取得したり、楽曲を試聴したりする際の利便性を向上させるとともに、各販売店舗を訪れるユーザのＣＤアルバムや楽曲に対する嗜好を収集できるようになるという効果を有している。また、本発明の情報配信管理サーバは、店頭に並んでいる商品に関連した情報をユーザに提供するとともに、ユーザの嗜好を把握して、更なる販売促進を図るためのマーケティング情報を収集できるようになるという効果を有している。
【発明を実施するための最良の形態】
【００１６】
以下、図面を参照しながら、本発明の実施の形態について説明する。まず、本発明の実施の形態における構成の一例について説明する。
【００１７】
図１は、本発明の実施の形態におけるネットワーク構成の一例を示す図である。図１に図示されている携帯端末１００は、ユーザが持ち運び可能な通信端末である。携帯端末１００としては、例えば、ＰＨＳ通信機能を有するＰＨＳ機、携帯電話通信機能を有する携帯電話機、無線ＬＡＮ機能を有するモバイルノードなどを始めとして、各種の無線通信機能を有する通信端末が想定可能である。なお、携帯端末１００は、任意の無線通信方式を使用することが可能である。
【００１８】
また、携帯端末１００は、無線通信を利用して基地局４００と通信を行うことによって、基地局４００が接続されているネットワーク５００（例えば、インターネットなど）にアクセスし、ネットワーク５００に接続されている任意の通信装置と通信を行うことが可能である。なお、携帯端末１００及び基地局４００は、同一の無線通信方式をして通信を行う。したがって、例えば、携帯端末１００がＰＨＳ機の場合には基地局４００はＰＨＳ基地局であり、携帯端末１００が携帯電話機の場合には基地局４００は携帯電話基地局であり、携帯端末１００がモバイルノードの場合には基地局４００はアクセスポイントである。
【００１９】
また、携帯端末１００には、データの送受信を行うデータ通信機能（パケット通信機能）、所定の言語で記述されたＷｅｂページを表示するＷｅｂページ閲覧機能（ブラウザ機能）、所定のフォーマットの楽曲データを再生する楽曲再生機能、自端末の位置を特定するための位置情報を取得する位置特定機能が実装されている。なお、この位置特定機能としては、例えばＧＰＳ（Global Positioning System：衛星測位システム）信号の受信によって自端末の位置情報を取得するＧＰＳ機能が利用可能である。また、自端末の位置を特定する位置特定機能の代わりに、例えば、携帯端末１００は、現在通信を行っている基地局４００の識別情報（基地局ＩＤ）を取得する機能を有し、この基地局ＩＤを位置情報として使用することも可能である。さらに、携帯端末１００には、商品などに添付されているバーコードを撮像し、撮像画像の画像認識処理を行ってバーコード情報を抽出するバーコード読み取り機能が実装されていてもよい。
【００２０】
また、図１において、ネットワーク５００には、情報配信管理サーバ２００、データベース管理サーバ３００、販売業者サーバ６００が接続されている。情報配信管理サーバ２００は、携帯端末１００、データベース管理サーバ３００、販売業者サーバ６００との間でネットワーク５００を介して通信を行うとともに、楽曲の試聴を可能とする試聴データ配信サービスを携帯端末１００に提供する機能を有している。なお、情報配信管理サーバ２００の詳細な構成に関しては、後で図２を参照しながら説明を行う。
【００２１】
また、データベース管理サーバ３００は、ネットワーク５００を介して、携帯端末１００や情報配信管理サーバ２００との間で通信を行うとともに、データベース３１０内に格納されているデータの管理や配信を行う機能を有している。データベース管理サーバ３００が有するデータベース３１０には、主に、複数の試聴データと複数の商品データとが格納されている。
【００２２】
試聴データは、多数のパッケージ商品（ＣＤアルバム）に収録されている各楽曲の試聴用のデータであり、それぞれ異なる識別情報が割り当てられている。なお、試聴データは、楽曲の一部のみを試聴可能とする楽曲再生時間（通常は４５秒未満）に設定されている。また、試聴データは、上述した携帯端末１００によって再生可能なフォーマットを有している。
【００２３】
一方、商品データは、パッケージ商品やパッケージ商品に収録されている楽曲に関するテキスト情報及び画像情報である。具体的には、パッケージ商品の識別情報、パッケージ商品の販売元や販売年月日、パッケージ商品のタイトル名やアーティスト名、パッケージ商品のジャケット画像、パッケージ商品に収録されている楽曲の識別情報、パッケージ商品に収録されている楽曲名などの様々な情報である。さらに、試聴データと商品データとは関連付けられており、例えば、商品データとして格納されている楽曲名から、その楽曲の試聴データを特定することが可能である。
【００２４】
また、販売業者サーバ６００は、ＣＤアルバムの販売店舗を管理するＣＤアルバム販売業者のサーバである。この販売業者サーバ６００は、例えば販売業者ごとに存在している。情報配信管理サーバ２００は、ユーザの試聴の履歴などの情報（履歴情報）を、販売促進用データとして販売業者サーバ６００に渡すことで、ＣＤアルバム販売業者は、ＣＤアルバムや楽曲、アーティストなどの人気度やユーザの興味などを把握し、販売店舗の商品陳列や商品入荷・在庫管理などを効率的に行うことが可能となる。
【００２５】
また、図２は、本発明の実施の形態における情報配信管理サーバ（図１中の情報配信管理サーバ２００）の構成の一例を示す図である。図２に図示されている情報配信管理サーバ２００は、通信部２１０、計時部２２０、履歴情報管理部２３０、履歴情報格納部２３１、ユーザ通信管理部２４０、データベース通信管理部２５０、販売業者通信管理部２６０を有しており、各構成要素は内部バス２７０によって接続されている。
【００２６】
通信部２１０は、通信インタフェースや所定のプロトコル群を有し、情報配信管理サーバ２００をネットワーク５００に接続して、ネットワーク５００上の他の通信装置との通信を可能とする機能を有している。また、計時部２２０は、情報配信管理サーバ２００の内蔵時計であり、現在の日時（年月日及び時刻）を取得する機能を有している。
【００２７】
また、履歴情報管理部２３０は、携帯端末１００への試聴データ配信サービスに関連した履歴情報を格納するための履歴情報格納部２３１への履歴情報の書き込み／読み出しの管理を行う機能を有している。なお、履歴情報格納部２３１には、ユーザによる楽曲の試聴の際に取得される様々な情報（例えば、後述の図６に図示されている情報）が履歴情報として格納される。
【００２８】
また、ユーザ通信管理部２４０は携帯端末１００との通信に関する処理を行う機能を有しており、ユーザ管理部２４１、ユーザ情報格納部２４２、Ｗｅｂページ提供部２４３、Ｗｅｂページ生成部２４４、Ｗｅｂページ格納部２４５によって構成されている。
【００２９】
ユーザ管理部２４１は、試聴データ配信サービスを提供しているユーザの認証処理を行う機能を有している。このユーザの認証処理では、携帯端末１００からログイン要求と共に送られてくるユーザ情報（例えば、ユーザＩＤ及びパスワード）と、あらかじめユーザ情報格納部２４２に格納されている各ユーザのユーザ情報との比較照合が行われて、ユーザに対して試聴データ配信サービスを提供することが可能か否かの判断が行われる。
【００３０】
また、Ｗｅｂページ提供部２４３は、携帯端末１００によって閲覧可能なＷｅｂページを携帯端末１００に提供する機能を有している。Ｗｅｂページ提供部２４３によって提供されるＷｅｂページは、Ｗｅｂページ生成部２４４によって逐次生成されるＷｅｂページと、Ｗｅｂページ格納部２４５にあらかじめ格納されているＷｅｂページとに大別される。Ｗｅｂページ生成部２４４では、例えば、データベース管理サーバ３００から取得した情報を利用してＷｅｂページ（例えば、後述の図５に図示されている表示画面を構成するＷｅｂページ（ＣＤ情報閲覧用ページ））の生成が行われる。一方、Ｗｅｂページ格納部２４５には、携帯端末１００に対して配信される共通のＷｅｂページ（例えば、後述の図４に図示されている表示画面を構成するＷｅｂページ（試聴用ページ））が格納されている。
【００３１】
また、データベース通信管理部２５０はデータベース管理サーバ３００との通信に関する処理を行う機能を有しており、ＣＤアルバム／楽曲問い合わせ部２５１、配信要求部２５２によって構成されている。
【００３２】
ＣＤアルバム／楽曲問い合わせ部２５１は、携帯端末１００から送られてきたＣＤ識別番号やＣＤアルバムのタイトル名から、データベース管理サーバ３００に対して、ＣＤアルバムに収録されている楽曲の楽曲名などの問い合わせを行う機能を有している。この問い合わせによって、データベース管理サーバ３００からは、例えばＣＤ識別番号によって識別されるＣＤアルバムの楽曲一覧情報やそのＣＤアルバムのジャケット画像データが取得される。
【００３３】
また、配信要求部２５２は、携帯端末１００から送られてきた楽曲選択情報（例えば、ユーザが試聴を所望する楽曲の楽曲識別番号）に基づいて、データベース管理サーバ３００に対して、この楽曲識別番号に対応する楽曲の試聴データを携帯端末１００に配信するように要求する機能を有している。
【００３４】
なお、ＣＤアルバム／楽曲問い合わせ部２５１や配信要求部２５２において処理が行われた場合には、その処理に関連した情報と共に、携帯端末１００から受信した携帯端末１００の位置情報や、計時部２２０で取得される現在の日時などが履歴情報管理部２３０に渡され、履歴情報格納部２３１に格納される。
【００３５】
また、販売業者通信管理部２６０は、販売業者サーバ６００との通信に関する処理を行う機能を有しており、履歴情報提供部２６１、履歴情報選択部２６２、店舗情報格納部２６３によって構成されている。
【００３６】
履歴情報提供部２６１は、販売業者サーバ６００に対して、履歴情報格納部２３１に格納されている履歴情報を送信する機能を有している。また、履歴情報選択部２６２は、履歴情報提供部２６１によって送信される履歴情報の選択を行う機能を有している。具体的には、複数の販売業者が存在する場合には、履歴情報選択部２６２は、履歴情報格納部２３１に格納されている履歴情報から特定の販売業者が管理する販売店舗に係る履歴情報のみを抽出し、履歴情報提供部２６１は、この特定の販売業者の販売業者サーバ６００に対して、抽出された履歴情報の送信を行う。また、履歴情報選択部２６２は、特定の販売店舗に係る履歴情報のみを抽出したり、実際に楽曲が試聴された場合の履歴情報のみを抽出したりすることも可能である。また、履歴情報選択部２６２は、個人を特定する情報（例えば、ユーザＩＤなど）を抽出対象から外して、履歴情報を、個人の特定が不可能な匿名情報に再構成することも可能である。
【００３７】
また、履歴情報選択部２６２は、店舗情報格納部２６３に格納されている、ＣＤアルバムの販売店舗の場所を特定する店舗情報（例えば、後述の図７に図示されているエリア／店舗対応情報）を参照して、携帯端末１００による試聴が行われた場所と、ＣＤアルバムの販売店舗の場所との対応関係を把握し、特定の販売店舗内でユーザが携帯端末１００を用いて楽曲の試聴を行った履歴のみを抽出することも可能である。
【００３８】
また、履歴情報提供部２６１による履歴情報の提供先は、ＣＤアルバムの販売業者に限らず、例えば、ＣＤアルバムの製作業者や発売元、さらには音楽市場の調査会社など、各種の業種に係る会社を提供先としてもよい。また、本明細書では、販売業者サーバ６００に対して、ネットワーク５００を通じて履歴情報の提供が行われる場合について説明するが、例えば、履歴情報を印刷した印刷物や、履歴情報を記録した記録媒体などの形式で、ＣＤアルバムの販売業者などに提供されてもよい。
【００３９】
なお、図２では、情報配信管理サーバ２００を各機能別に分けたブロック図によって表現したが、一般的に使用されているコンピュータ（ＰＣ（Personal Computer：パーソナルコンピュータ）やワークステーション）によって実現可能である。この場合、情報の処理を行うブロックの機能は、コンピュータに搭載されたＣＰＵ（Central Processing Unit：中央演算処理装置）によるプログラムの実行によって実現可能であり、情報の格納を行うブロックの機能は、ハードディスクや光ディスクなどの情報記憶装置や記録媒体によって実現可能である。
【００４０】
次に、本発明の実施の形態における動作の一例について説明する。なお、以下の本発明の実施の形態における動作の説明では、上述の図１及び図２に図示されている構成を前提として説明する。図３は、本発明の実施の形態における動作の一例を示すシーケンスチャートである。
【００４１】
まず、携帯端末１００は、情報配信管理サーバ２００が提供している試聴データ配信サービスにログインするために必要な情報を、情報配信管理サーバ２００に対して送信する（ステップＳ１００１）。ここで、携帯端末１００から情報配信管理サーバ２００に送信される情報は、例えば、あらかじめ定められたユーザＩＤやパスワードなどである。この携帯端末１００からのログイン要求に対して、情報配信管理サーバ２００は、ユーザ情報格納部２４２に格納されているユーザ情報などを参照して、このユーザに対して試聴データ配信サービスを提供可能か否かの認証処理を行う。
【００４２】
そして、情報配信管理サーバ２００は、試聴データ配信サービスの提供が許可されているユーザの携帯端末１００に対して、例えば試聴用ページの送信を行う（ステップＳ１００３）。なお、図３のシーケンスチャートでは、試聴データ配信サービスの提供が許可されているユーザに関する処理が図示されているが、試聴データ配信サービスの提供が許可されていないユーザに関しては、情報配信管理サーバ２００によって、ログインの拒否やユーザＩＤ、パスワードなどの再入力の要求が行われる（図３には不図示）。また、ログイン完了後、携帯端末１００のユーザによる複数回の操作（情報配信管理サーバ２００との間における複数回のメッセージ交換）を経た後に、情報配信管理サーバ２００から携帯端末１００に試聴用ページの送信が行われるようにしてもよい。
【００４３】
ステップＳ１００３で情報配信管理サーバ２００から携帯端末１００に送信される試聴用ページは、例えば図４に図示されているように、携帯端末１００の表示画面上に表示される。図４は、本発明の実施の形態において、携帯端末で試聴用ページを表示した場合の表示画面の一例を示す図である。
【００４４】
図４に図示されている試聴用ページには、ＣＤ識別番号の入力によるＣＤアルバムの情報取得、ＣＤ識別番号のバーコード読み取りによるＣＤアルバムの情報取得、キーワードの入力によるＣＤアルバムの情報取得の３つのタイプのＣＤアルバムの情報取得用フォームが設けられている。
【００４５】
ＣＤ識別番号の入力によるＣＤアルバムの情報取得では、ユーザは、例えば、ＣＤアルバムの裏面に添付されているバーコード（ＰＯＳ（Point of Sale：販売時点情報管理）システムにおける商品管理用バーコード）の数値（ＣＤ識別番号）を入力フォーム７０１に入力し、送信ボタン７０２を押下することによって、携帯端末１００から情報配信管理サーバ２００に対して、入力フォーム７０１に入力されたＣＤ識別番号が送信される。
【００４６】
また、ＣＤ識別番号のバーコード読み取りによるＣＤアルバムの情報取得では、携帯端末１００のバーコード読み取り機能を用いて、ＣＤアルバムの裏面に添付されているバーコードの撮像及び解析が行われることによって、入力フォーム７１１にＣＤ識別番号が入力される。そして、ユーザは、入力フォーム７１１へのＣＤ識別番号の入力後、送信ボタン７０２を押下することによって、携帯端末１００から情報配信管理サーバ２００に対して、入力フォーム７１１に入力されたＣＤ識別番号が送信される。
【００４７】
なお、上述のバーコード読み取りによる情報取得では、Ｗｅｂブラウザ機能からカメラアプリケーションが起動されてバーコード読み取りが行われる方法が説明されているが、例えば、まず、携帯端末１００においてカメラアプリケーションが起動され、バーコード読み取りが行われた場合には、自動的に所定のサイトにアクセスして所定のフォームを取得するとともに、この所定のフォーム内にバーコード読み取りによって得られたＣＤ識別番号が入力されるなどの方法も可能である。
【００４８】
また、キーワードの入力によるＣＤアルバムの情報取得では、ユーザは、ＣＤアルバムのタイトル名やアーティスト名などのキーワードを入力フォーム７２１に入力して、送信ボタン７２２を押下する。この場合には、情報配信管理サーバ２００は、キーワード検索機能（図２には不図示）などを実装しており、キーワードに基づく検索結果を携帯端末１００に返すことによって、ユーザに所望のＣＤアルバムを絞り込ませる。
【００４９】
ここで、携帯端末１００のユーザは、例えばＣＤ識別番号の入力によるＣＤアルバムの情報取得の入力フォーム７０１に、ユーザが試聴したい楽曲が含まれているＣＤのＣＤ識別番号の入力を行い、送信ボタン７０２を押下したとする（ステップＳ１００５）。このとき、携帯端末１００から情報配信管理サーバ２００へのＣＤ識別番号の送信が行われるが、この際に携帯端末１００は、自端末が位置している現在位置を特定するための位置情報を取得し、ＣＤ識別番号及び位置情報を情報配信管理サーバ２００に送信する（ステップＳ１００７）。
【００５０】
なお、位置情報としては、例えば、携帯端末１００に実装されているＧＰＳ機能によって得られた緯度情報及び経度情報を利用することが可能である。この場合、ステップＳ１００７において、携帯端末１００は、自端末の現在位置を示す緯度情報及び経度情報を取得し、この経度情報及び緯度情報を位置情報として情報配信管理サーバ２００に送信する。
【００５１】
また、上述のように、携帯端末１００は、直接無線通信を行っている基地局４００の識別情報（基地局ＩＤ）を取得し、この基地局ＩＤを位置情報として利用することも可能である。この場合、ステップＳ１００７において、携帯端末１００は、現在通信を行っている基地局４００の基地局ＩＤを取得し、この基地局ＩＤを位置情報として情報配信管理サーバ２００に送信する。なお、基地局ＩＤによって、携帯端末１００が特定の基地局（携帯端末１００によって取得される基地局ＩＤを有する基地局）４００の通信エリア内に存在していることが把握可能である。
【００５２】
携帯端末１００からＣＤ識別番号及び位置情報を受信した情報配信管理サーバ２００は、データベース管理サーバ３００に対して、携帯端末１００から受信したＣＤ識別番号の問い合わせを行う（ステップＳ１００９）。データベース管理サーバ３００は、この問い合わせを受けてＣＤ識別番号からＣＤアルバムを特定し、このＣＤアルバムのタイトル名や、ＣＤアルバムに収録されている楽曲名及び各楽曲の楽曲識別番号などの一覧を含む楽曲一覧情報、ＣＤアルバムのジャケット画像データを情報配信管理サーバ２００に送信して返答を行う（ステップＳ１０１１）。
【００５３】
情報配信管理サーバ２００は、データベース管理サーバ３００から受信した楽曲一覧情報やジャケット画像データに基づいて、ＣＤ情報閲覧用ページを生成し（ステップＳ１０１３）、このＣＤ情報閲覧用ページを携帯端末１００に送信する（ステップＳ１０１５）。
【００５４】
このＣＤ情報閲覧用ページは、例えば図５に図示されているように、携帯端末１００の表示画面上に表示される。図５は、本発明の実施の形態において、携帯端末でＣＤ情報閲覧用ページを表示した場合の表示画面の一例を示す図である。
【００５５】
図５に図示されているＣＤ情報閲覧用ページには、ステップＳ１００７で携帯端末１００が送信したＣＤ識別番号によって特定されるＣＤアルバムの情報が掲載されている。ここでは、図５には、ＣＤアルバムのタイトル名（ＣＤアルバム名）、アーティスト名、ジャケット画像７５１、このＣＤアルバムに収録されている楽曲名、各楽曲の試聴データの配信を要求するための試聴ボタン７５２、各楽曲の説明を要求するための説明ボタン７５３が図示されている。なお、ここでは、ＣＤアルバムに収録されている７つの楽曲すべてに対して、試聴ボタン７５２及び説明ボタン７５３が設けられているが、試聴データや楽曲を説明する情報がデータベース管理サーバ３００に存在する楽曲のみに、試聴ボタン７５２及び説明ボタン７５３が設けられるようにしてもよい。
【００５６】
試聴ボタン７５２や説明ボタン７５３には、例えば、対応する楽曲を特定するための楽曲識別番号が埋め込まれている。そして、ユーザ操作によって、試聴ボタン７５２や説明ボタン７５３が押下された場合には、対応する楽曲の楽曲識別番号と共に、その楽曲の試聴データの配信の要求や、楽曲の説明の要求が、情報提供管理サーバ２００に送信される。
【００５７】
また、情報配信管理サーバ２００は、ステップＳ１００７で携帯端末１００から受信したＣＤ識別番号及び位置情報と、現在の日時とが関連付けられた情報を履歴情報として履歴情報格納部２３１に格納する（ステップＳ１０１７）。履歴情報格納部２３１に格納される履歴情報は、例えば図６に図示される構成を有している。
【００５８】
図６は、本発明の実施の形態における情報配信管理サーバの履歴情報格納部に格納されている履歴情報の一例を示す図である。ステップＳ１０１７における処理で格納される履歴情報は、例えば、履歴情報の更新日時、ＣＤ情報閲覧用ページによって提供されるＣＤアルバムのＣＤ識別番号、携帯端末１００の位置情報、携帯端末１００のユーザのユーザＩＤなどである。また、図６に示す履歴情報では、携帯端末１００においてＷｅｂページの閲覧動作が行われる旨も格納される。
【００５９】
例えば、図６に図示されている履歴情報のエントリ７７１は、ステップＳ１０１７における処理で格納された履歴情報である。この履歴情報のエントリ７７１は、「２００５年４月１日１０時９分４１秒」に格納されたものであり、「東経３５度４０分２２秒、北緯１３９度３８分５６秒」に位置するユーザＩＤ「１２３４５」のユーザが、ＣＤ識別番号「４５１２３４５６７８９０５」のＣＤアルバムに関するＣＤ情報閲覧用ページの閲覧を行った旨を示すものである。
【００６０】
また、履歴情報のエントリ７７４も同様にステップＳ１０１７における処理で格納された履歴情報である。この履歴情報のエントリ７７４は、「２００５年４月１日１０時１５分２８秒」に格納されたものであり、「東経３４度４４分１５秒、北緯１３５度４３分４７秒」に位置するユーザＩＤ「６７８９０」のユーザが、ＣＤ識別番号「４５０９８７６５４３２１５」のＣＤアルバムに関するＣＤ情報閲覧用ページの閲覧を行った旨を示すものである。
【００６１】
なお、図６に図示されている履歴情報では、エントリの格納日時として、履歴情報の更新日時を使用しているが、データベース管理サーバ３００に問い合わせを行った日時や、ＣＤ情報閲覧用ページの生成を行った日時を使用してもよい。また、ＣＤ識別番号として、ＰＯＳにおける商品管理用バーコードの数値を使用しているが、例えば、データベース管理サーバ３００におけるＣＤアルバム管理用の識別情報など、ＣＤアルバムを一意に特定できる他の識別情報を使用してもよい。
【００６２】
ここで、携帯端末１００のユーザは、情報配信管理サーバ２００から提供されたＣＤ情報閲覧用ページを閲覧して、試聴を所望する楽曲を選んで、その楽曲に対応した試聴ボタン７５２を押下したとする（ステップＳ１０１９）。このとき、携帯端末１００から情報配信管理サーバ２００に対して、楽曲選択情報（例えば、楽曲の楽曲識別番号）の送信が行われるが、この際に携帯端末１００は、ステップＳ１００７と同様に、自端末が現在存在している位置を特定するための位置情報を取得し、楽曲選択情報及び位置情報を情報配信管理サーバ２００に送信する（ステップＳ１０２１）。
【００６３】
情報配信管理サーバ２００は、データベース管理サーバ３００に対して、携帯端末１００から受信した楽曲選択情報によって特定される楽曲の試聴データを携帯端末１００に配信するように要求する（ステップＳ１０２３）。なお、この携帯端末１００への試聴データ配信要求の際に、情報配信管理サーバ２００は、携帯端末１００のユーザが試聴を所望している楽曲の識別情報と共に、携帯端末１００のネットワーク５００上の識別情報（例えば、携帯端末１００のＩＰアドレス）をデータベース管理サーバ３００に渡す。
【００６４】
また、情報配信管理サーバ２００は、ステップＳ１０２１で携帯端末１００から受信した楽曲選択情報及び位置情報と、現在の日時とが関連付けられた情報を履歴情報として履歴情報格納部２３１に格納する（ステップＳ１０２５）。ステップＳ１０２５における処理で格納される履歴情報は、例えば、履歴情報の更新日時、配信する楽曲が収録されているＣＤアルバムのＣＤ識別番号（あるいは、その前に送信したＣＤ情報閲覧用ページに係るＣＤ識別番号）、試聴データの配信が行われる楽曲を識別する楽曲識別番号、携帯端末１００の位置情報、携帯端末１００のユーザのユーザＩＤなどである。
【００６５】
例えば、図６に図示されている履歴情報のエントリ７７２は、ステップＳ１０２５における処理で格納された履歴情報である。この履歴情報のエントリ７７２は、「２００５年４月１日１０時１２分１秒」に格納されたものであり、「東経３５度４０分２２秒、北緯１３９度３８分５５秒」に位置するユーザＩＤ「１２３４５」のユーザが、ＣＤ識別番号「４５１２３４５６７８９０５」のＣＤアルバムの楽曲識別番号「００１」の楽曲の試聴を行った旨を示すものである。また、図６に示す履歴情報のエントリ７７２には、携帯端末１００において楽曲の試聴動作が行われた旨も格納されている。
【００６６】
なお、図６に図示されている履歴情報では、エントリの格納日時として、履歴情報の更新日時を使用しているが、携帯端末１００から楽曲選択情報を受信した日時や、データベース管理サーバ３００に対して試聴データ配信要求を行った日時を使用してもよい。また、ＣＤ識別番号と組み合わせずに、楽曲識別番号のみで楽曲を一意に識別することが可能なように構成されている場合には、ＣＤ識別番号を格納せずに楽曲識別番号のみを格納するだけでもよい。
【００６７】
また、ここでは、ユーザによって試聴動作が行われた場合について説明しているが、例えば、ユーザが楽曲の説明を要求した場合（図５に示すＣＤ情報閲覧用ページで説明ボタン７５３を押下した場合）の履歴を履歴情報として格納することも可能である。この場合には、履歴情報格納部２３１に格納される履歴情報の一例は、図６に図示されている履歴情報のエントリ７７３である。
【００６８】
この履歴情報のエントリ７７３は、「２００５年４月１日１０時１３分４２秒」に格納されたものであり、「東経３５度４０分２１秒、北緯１３９度３８分５２秒」に位置するユーザＩＤ「１２３４５」のユーザが、ＣＤ識別番号「４５１２３４５６７８９０５」のＣＤアルバムの楽曲識別番号「００３」の楽曲の説明の閲覧を行った旨を示すものである。また、図６に示す履歴情報のエントリ７７３には、携帯端末１００において楽曲の説明閲覧動作が行われた旨も格納されている。
【００６９】
一方、ステップＳ１０２３における試聴データ配信要求を受けたデータベース管理サーバ３００は、楽曲選択情報の識別情報に対応する試聴データを読み出し、この試聴データを携帯端末１００のネットワーク５００上の識別情報（例えば、携帯端末１００のＩＰアドレス）あてに送信する（ステップＳ１０２７）。そして、携帯端末１００は、データベース管理サーバ３００から所望の試聴データを受信し、楽曲再生機能を利用して試聴データの再生を行う（ステップＳ１０２９）。
【００７０】
以上のように、図３に図示されているシーケンスチャートに係る動作によれば、携帯端末１００のユーザは、自分の持っている携帯端末１００を用いて、自分が興味を持っているＣＤアルバムの収録楽曲の説明を読んだり、試聴を行ったりすることが可能となる。また、情報配信管理サーバ２００は、ユーザが携帯端末１００を用いて行ったＣＤアルバムや楽曲の情報の閲覧や、楽曲の試聴などの履歴を収集するとともに、同時に携帯端末１００の位置情報を取得して、これらの情報を履歴情報格納部２３１に格納することが可能となる。
【００７１】
なお、図３に図示されているシーケンスチャートでは、ステップＳ１０２３において、情報配信管理サーバ２００からデータベース管理サーバ３００に対して、携帯端末１００への試聴データ配信要求が行われているが、結果的に、データベース管理サーバ３００から携帯端末１００に対して試聴データの配信が行われるとともに、情報配信管理サーバ２００が、携帯端末１００による試聴履歴を収集することができるのであれば、他の態様によって試聴データの配信要求及び配信が行われてもよい。以下、図８及び図９を参照しながら、試聴データの配信要求及び配信に係る別の動作例（第１動作例及び第２動作例）について説明する。
【００７２】
図８は、本発明の実施の形態における試聴データの配信要求及び配信に係る別の第１動作例を示すシーケンスチャートである。なお、図８に示すシーケンスチャートは、携帯端末１００のユーザによる試聴を所望する楽曲の選択（ステップＳ１０１９）の処理から始まっているが、それ以前の処理は、図３に示すシーケンスチャートのステップＳ１００１〜Ｓ１０１７と同一であり、図８では図示省略されている。
【００７３】
図８において、ステップＳ１０１９におけるユーザの操作によって、携帯端末１００から情報配信管理サーバ２００に、楽曲選択情報及び位置情報が送信される（ステップＳ１０２１）。
【００７４】
情報配信管理サーバ２００は、携帯端末１００が楽曲選択情報によって特定される楽曲の試聴データをデータベース管理サーバ３００からダウンロードすることができる試聴データの識別情報を、携帯端末１００に通知する（ステップＳ１０５１）。なお、このとき、情報配信管理サーバ２００は、データベース管理サーバ３００に問い合わせを行って、携帯端末１００から受信した楽曲選択情報によって特定される楽曲の試聴データの識別情報をデータベース管理サーバ３００から取得し、ステップＳ１０５１において、その取得結果を携帯端末１００に通知してもよい。
【００７５】
また、情報配信管理サーバ２００は、ステップＳ１０２１で携帯端末１００から受信した楽曲選択情報及び位置情報と、現在の日時とが関連付けられた情報を履歴情報として履歴情報格納部２３１に格納する（ステップＳ１０５３）。
【００７６】
一方、携帯端末１００は、ステップＳ１０５１の通知によって取得した、データベース管理サーバ３００内の試聴データの識別情報に基づいて、データベース管理サーバ３００に対して、楽曲の試聴データの配信要求を送信する（ステップＳ１０５５）。この試聴データの配信要求を受けたデータベース管理サーバ３００は、対応する試聴データを読み出し、この試聴データを携帯端末１００のネットワーク５００上の識別情報（例えば、携帯端末１００のＩＰアドレス）あてに送信する（ステップＳ１０５７）。そして、携帯端末１００は、データベース管理サーバ３００から所望の試聴データを受信し、楽曲再生機能を利用して試聴データの再生を行う（ステップＳ１０５９）。
【００７７】
なお、情報配信管理サーバ２００は、ステップＳ１０５１でデータベース管理サーバ３００のネットワーク上の識別情報のみを通知し、携帯端末１００が、このデータベース管理サーバ３００のネットワーク上の識別情報あてに、情報配信管理サーバ２００に送信した楽曲選択情報を改めて送ることによって試聴データの配信要求を行うことも可能である。
【００７８】
また、上述の図８に示すシーケンスチャートの動作に基づいた場合には、情報配信管理サーバ２００は、データベース管理サーバ３００に対して試聴データの配信要求を行わないので、図２に図示されている情報配信管理サーバ２００の構成要素のうち、配信要求部２５２は不要となる。
【００７９】
また、図９は、本発明の実施の形態における試聴データの配信要求及び配信に係る別の第２動作例を示すシーケンスチャートである。なお、図８と同様に、図９においても、ステップＳ１０１９以前の処理（図３に示すシーケンスチャートのステップＳ１００１〜Ｓ１０１７の処理）は図示省略されている。
【００８０】
図９において、ステップＳ１０１９におけるユーザの操作によって、携帯端末１００から情報配信管理サーバ２００に、楽曲選択情報及び位置情報が送信される（ステップＳ１０２１）。そして、情報配信管理サーバ２００は、データベース管理サーバ３００に対して、携帯端末１００から受信した楽曲選択情報によって特定される楽曲の試聴データを情報配信管理サーバ２００に配信するように要求する（ステップＳ１０７１）。
【００８１】
この試聴データ配信要求を受けたデータベース管理サーバ３００は、楽曲選択情報の識別情報に対応する試聴データを読み出し、この試聴データを情報配信管理サーバ２００に送信する（ステップＳ１０７３）。情報配信管理サーバ２００は、データベース管理サーバ３００から配信されてくる試聴データを携帯端末１００に転送することによって（ステップＳ１０７５）、携帯端末１００は、情報配信管理サーバ２００から所望の試聴データを受信し、楽曲再生機能を利用して試聴データの再生を行う（ステップＳ１０７７）。
【００８２】
また、情報配信管理サーバ２００は、ステップＳ１０２１で携帯端末１００から受信した楽曲選択情報及び位置情報と、現在の日時とが関連付けられた情報を履歴情報として履歴情報格納部２３１に格納する（ステップＳ１０７９）。
【００８３】
なお、上述の図９に示すシーケンスチャートの動作に基づいた場合、情報配信管理サーバ２００は、データベース管理サーバ３００から受信した試聴データを、この試聴データを所望する携帯端末１００に対して転送する。したがって、図３に図示されている情報配信管理サーバ２００には、データベース管理サーバ３００から受信した試聴データを携帯端末１００に転送する機能を有するデータ転送部が追加される。
【００８４】
また、情報配信管理サーバ２００が収集した履歴情報に含まれる位置情報は、単なる経度情報及び緯度情報や基地局４００の基地局ＩＤにすぎないが、例えば、図７に図示されているような店舗情報を参照することによって、携帯端末１００を利用した閲覧や試聴が、どの販売店舗で行われていたのかを把握することが可能となる。
【００８５】
図７には、本発明の実施の形態における情報配信管理サーバ２００の履歴情報格納部２３１に格納されている履歴情報に含まれる位置情報から、携帯端末１００を利用した閲覧や試聴が行われた販売店舗を特定するための店舗情報の一例を示す図である。
【００８６】
図７に図示されている店舗情報は、販売店舗の場所を包含するエリアと、その販売店舗の識別情報（例えば、販売店舗名）との対応関係を有している。なお、販売店舗の場所を包含するエリアとは、そのエリア内に存在しているユーザは、その特定の販売店舗内に存在している（その特定の販売店舗を訪れている）可能性が極めて高いとみなすことが可能なエリアである。具体的には、図７に示すように、販売店舗の敷地に対応する緯度情報及び経度情報や、販売店舗内に存在する携帯端末１００が通信可能な基地局ＩＤなどによって、販売店舗の場所を包含するエリアが特定される。
【００８７】
例えば、図７に示す店舗情報によれば、経度が「３５度４０分２０秒〜３５度４０分２５秒」、かつ緯度が「１３９度３８分５０秒〜１３９度３８分５８秒」の範囲に存在する携帯端末１００は、販売店舗「○○レコード△△駅前店」に存在しているとみなすことが可能であり、経度が「３４度４３分１１秒〜３４度４４分２５秒」、かつ緯度が「１３５度４３分３９秒〜１３５度４４分１２秒」の範囲に存在する携帯端末１００は、販売店舗「××ミュージック本店」に存在しているとみなすことが可能である。
【００８８】
なお、位置情報としては、上述のように緯度情報及び経度情報だけではなく、基地局ＩＤを利用することも可能であり、例えば、図７に示す店舗情報によれば、基地局ＩＤが「ｐｐｐ０１」又は「ｑｑｑ０１」の基地局４００と通信を行っている携帯端末１００は、販売店舗「○○レコード△△駅前店」に存在しているとみなすことが可能であり、基地局ＩＤが「ｂｂｂ０５」、「ｃｃｃ０６」、「ｄｄｄ０８」のいずれか１つを有する基地局４００と通信を行っている携帯端末１００は、販売店舗「××ミュージック本店」に存在しているとみなすことが可能である。
【００８９】
ただし、位置情報に関して（特に、基地局ＩＤから割り出される位置情報に関して）、高い精度が得られない可能性もある。すなわち、携帯端末１００の位置情報からでは、携帯端末１００がある漠然としたエリア内に存在しているというレベルでしか、携帯端末１００の位置を特定することができない可能性もある。この場合でも、携帯端末１００が位置していたエリア内に存在する販売店舗を特定し、このエリア内に存在するすべての販売店舗を携帯端末１００が位置していた販売店舗とみなすことが可能である。なお、このときの携帯端末１００に係る履歴は、例えば、携帯端末１００が位置していたとみなされるすべての販売店舗に反映されるようにしてもよい。
【００９０】
このように、位置情報と販売店舗の場所との対応関係を示す店舗情報を参照することによって、履歴情報として格納されている携帯端末１００の位置情報から、例えば、ユーザが店頭に並んだＣＤアルバムを手に取ってバーコード情報を入力し、楽曲の試聴を行った販売店舗を特定することが可能となる。したがって、履歴情報及び店舗情報を参照することによって、各販売店舗において、ユーザが興味を持ったＣＤアルバムや楽曲に関する情報を収集することが可能であり、こうして収集された情報は、例えば、更なるＣＤアルバムの販売促進のためのマーケティング情報として利用可能である。なお、携帯端末１００のユーザは、必ずしも販売店舗内で試聴を行うわけではなく、例えばユーザの自宅など、上記の店舗情報では特定不可能な場所で楽曲の試聴を行う場合もある。この場合においても、どの地域で、その楽曲がよく試聴されているかなどの統計情報を得ることが可能であり、十分にマーケティング情報として利用可能である。
【００９１】
情報配信管理サーバ２００の販売業者通信管理部２６０は、販売業者サーバ６００に対して、例えば、所定の期間ごと（例えば、週１回）に、履歴情報格納部２３１に格納されている履歴情報（あるいは、履歴情報選択部２６２によって選択された履歴情報）を提供する。これによって、情報配信管理サーバ２００は、単に、ＣＤアルバムの説明や楽曲の試聴などのサービスをユーザに提供することによって、ユーザの購買意欲を高めてＣＤアルバムの販売向上を図るだけではなく、ユーザがこのサービスを受けた場所（特に、販売店舗）を特定して、販売業者や販売店舗、さらには、ＣＤアルバム業界に携わる各種業種の会社に対して情報を還元することで、ＣＤアルバム業界全体の発展や業績向上を実現することが可能となる。
【００９２】
なお、上述の本発明の実施の形態では、ＣＤアルバムに収録されている楽曲の試聴データをユーザに提供するサービスに関して説明したが、本発明は、これに限定されるものではなく、例えば、販売店舗の店頭に並んでいる商品に関する情報をユーザに提供するサービス全般に適用可能である。
【産業上の利用可能性】
【００９３】
本発明は、ユーザが楽曲の情報を取得したり、楽曲を試聴したりする際の利便性を向上させるとともに、各販売店舗を訪れるユーザのＣＤアルバムや楽曲に対する嗜好を収集できるようになるという効果を有しており、ＣＤアルバムに収録されている楽曲に関する情報の提供や、楽曲の試聴などを実現するための技術分野、及びＣＤアルバムの販売や製造に携わる技術分野に適用可能である。また、本発明は、店頭に並んでいる商品に関連した情報をユーザに提供するとともに、ユーザの嗜好を把握して、更なる販売促進を図るためのマーケティング情報を収集するための技術分野に適用可能である。
【図面の簡単な説明】
【００９４】
【図１】本発明の実施の形態におけるネットワーク構成の一例を示す図である。
【図２】本発明の実施の形態における情報配信管理サーバの構成の一例を示す図である。
【図３】本発明の実施の形態における動作の一例を示すシーケンスチャートである。
【図４】本発明の実施の形態において、携帯端末で試聴用ページを表示した場合の表示画面の一例を示す図である。
【図５】本発明の実施の形態において、携帯端末でＣＤ情報閲覧用ページを表示した場合の表示画面の一例を示す図である。
【図６】本発明の実施の形態における情報配信管理サーバの履歴情報格納部に格納されている履歴情報の一例を示す図である。
【図７】本発明の実施の形態における情報配信管理サーバの履歴情報格納部に格納されている履歴情報に含まれる位置情報から、携帯端末を用いた閲覧や試聴が行われた販売店舗を特定するための店舗情報の一例を示す図である。
【図８】本発明の実施の形態における試聴データの配信要求及び配信に係る別の第１動作例を示すシーケンスチャートである。
【図９】本発明の実施の形態における試聴データの配信要求及び配信に係る別の第２動作例を示すシーケンスチャートである。
【符号の説明】
【００９５】
１００  携帯端末
２００  情報配信管理サーバ
２１０  通信部
２２０  計時部
２３０  履歴情報管理部
２３１  履歴情報格納部
２４０  ユーザ通信管理部
２４１  ユーザ管理部
２４２  ユーザ情報格納部
２４３  Ｗｅｂページ提供部
２４４  Ｗｅｂページ生成部
２４５  Ｗｅｂページ格納部
２５０  データベース通信管理部
２５１  ＣＤアルバム／楽曲問い合わせ部
２５２  配信要求部
２６０  販売業者通信管理部
２６１  履歴情報提供部
２６２  履歴情報選択部
２６３  店舗情報格納部
２７０  内部バス
３００  データベース管理サーバ
３１０  データベース
４００  基地局
５００  ネットワーク
６００  販売業者サーバ
７０１、７１１、７２１  入力フォーム
７０２、７１２、７２２  送信ボタン
７５１  ジャケット画像
７５２  試聴ボタン
７５３  説明ボタン
７７１、７７２、７７３、７７４  履歴情報のエントリ
【図１】
2006318312.tif 000003
【図２】
2006318312.tif 000004
【図３】
2006318312.tif 000005
【図４】
2006318312.tif 000006
【図５】
2006318312.tif 000007
【図６】
2006318312.tif 000008
【図７】
2006318312.tif 000009
【図８】
2006318312.tif 000010
【図９】
2006318312.tif 000011